(57)【要約】【課題】大面積の発光装置を実現する手段を提供する。【解決手段】本発明の発光装置は第１の有機発光素子および少なくとも１つの第２の有機発光素子を有しており、各有機発光素子の基板の第１の主表面に第１の電極が被着されており、当該の第１の電極上に光形成に適した少なくとも１つの有機層を含む有機層列が配置されており、当該の有機層列上に第２の電極が配置されており、当該の有機層列および当該の第２の電極を覆うようにカプセル化部が前記基板に被着されており、ここで、前記第１の有機発光素子と前記少なくとも１つの第２の有機発光素子とは電気的および機械的に接続されている。【選択図】図１
2009088515.tif 000002
【特許請求の範囲】
【請求項１】
第１の有機発光素子（１０）および少なくとも１つの第２の有機発光素子（１０）を有しており、各有機発光素子の基板（１８）の第１の主表面に第１の電極が被着されており、該第１の電極上に光形成に適した少なくとも１つの有機層を含む有機層列が配置されており、該有機層列上に第２の電極が配置されており、該有機層列および該第２の電極を覆うようにカプセル化部（１７）が前記基板（１８）に被着されており、ここで、前記第１の有機発光素子と前記少なくとも１つの第２の有機発光素子とは電気的および機械的に接続されている
ことを特徴とする発光装置（１００）。
【請求項２】
前記第１の有機発光素子の電気コンタクト（１１）と前記少なくとも１つの第２の有機発光素子の第１の電気コンタクト（１２）とが直列または並列に接続されており、前記少なくとも１つの第２の有機発光素子の第２の電気コンタクト（１３）とエネルギ源とが接続されている、請求項１記載の発光装置。
【請求項３】
前記第１の有機発光素子と前記少なくとも１つの第２の有機発光素子とのあいだの接続部は可撓性のコンタクトブリッジとして構成されており、該可撓性のコンタクトブリッジは各有機発光素子の各基板よりも柔軟に構成されている、請求項１または２記載の発光装置。
【請求項４】
前記可撓性のコンタクトブリッジはフレックスシートとして構成されている、請求項３記載の発光装置。
【請求項５】
前記可撓性のコンタクトブリッジはプリント回路板として構成されている、請求項３記載の発光装置。
【請求項６】
前記可撓性のコンタクトブリッジは挟み止め可能な金属製のブリッジ形ダブルピンとして構成されている、請求項３記載の発光装置。
【請求項７】
前記第１の有機発光素子およびこれに接続された前記少なくとも１つの第２の有機発光素子を包囲する変形可能なカバー（９）が設けられている、請求項１から６までのいずれか１項記載の発光装置。
【請求項８】
前記変形可能なカバー（９）は前記有機発光素子から発光された光に対して透過性のプラスティックを含む、請求項７記載の発光装置。
【請求項９】
前記変形可能なカバー（９）はプレキシガラスを含む、請求項７記載の発光装置。
【請求項１０】
前記第１の有機発光素子および前記少なくとも１つの第２の有機発光素子を収容する支承フレーム（１５）が設けられており、前記第１の有機発光素子と前記少なくとも１つの第２の有機発光素子とは該支承フレームを介して相互に機械的に接続されている、請求項１から９までのいずれか１項記載の発光装置。
【請求項１１】
前記第１の有機発光素子と前記少なくとも１つの第２の有機発光素子とは前記支承フレーム（１５）を介して相互に電気的に接続されている、請求項１０記載の発光装置。
【請求項１２】
前記支承フレーム（１５）は相互に横断するように延在するウェブ構造体を備えた可撓性の格子状支持体として構成されており、該可撓性の格子状支持体の材料は各有機発光素子の基板（１８）よりも柔軟に構成されており、各有機発光素子は該可撓性の格子状支持体の中空室に配置されている、請求項１０または１１記載の発光装置。
【請求項１３】
複数の（請求項１２記載の）有機発光素子がマトリクス状に可撓性の格子状支持体内に配置されており、該複数の有機発光素子は該可撓性の格子状支持体を介して並列、直列または並列および直列の組み合わせによって相互に電気的に接続されている
ことを特徴とする照明装置（１００）。
【請求項１４】
前記複数の有機発光素子を覆うように前記可撓性の格子状支持体に可撓性のカバーが固定されており、該可撓性のカバーの材料の柔軟度は前記可撓性の格子状支持体の材料の柔軟度に等しい、請求項１３記載の照明装置。
【請求項１５】
前記カバーは前記可撓性の格子状支持体の格子線上に配置されるウェブを有する、請求項１４記載の照明装置。
【請求項１６】
複数の有機発光素子が前記支承フレーム（１５）内に配置されており、各有機発光素子はヒンジを備えたフレーム部材（２４）内に埋め込まれており、該フレーム部材は前記ヒンジを介して開閉可能に接続されてアコーディオン状フレームを形成しており、該フレームが折りたたまれた状態では１つの有機発光素子が隣の有機発光素子の上に重なり、該フレームが広げられた状態では１つの有機発光素子と別の有機発光素子とが平坦な面を形成する、請求項１０または１１記載の発光装置。
【請求項１７】
個々の有機発光素子の電気的コンタクトは前記支承フレーム（１５）の導電性領域（１６）を介して行われる、請求項１６記載の発光装置。
【請求項１８】
前記複数の有機発光素子を収容する前記支承フレーム（１５）はテキスタイルとして構成されている、請求項１０記載の発光装置。
【請求項１９】
請求項１から９までのいずれか１項記載の発光装置（１００）を少なくとも１つ有する自己支承形発光材において、当該の自己支承形発光材が移動可能照明として用いられることを特徴とする自己支承形発光材。
【請求項２０】
前記第１の有機発光素子および前記少なくとも１つの第２の有機発光素子はそれぞれ１つずつコンタクト領域を有しており、該コンタクト領域には前記カプセル化部の外側に該カプセル化部下方の前記第１の電極および前記第２の電極を電気的に接触させる導電性材料が存在しており、前記第１の有機発光素子および前記少なくとも１つの第２の有機発光素子はそれぞれのコンタクト領域が重なるように配置されており、重なったコンタクト領域は接続線路（２２）を介して電気的に接続されている、請求項１記載の発光装置。
【請求項２１】
前記第１の有機発光素子では前記基板（１８）が前記カプセル化部（１７）から突出して基板コンタクト領域（１９）を形成しており、前記少なくとも１つの第２の有機発光素子では前記カプセル化部（１７）が前記基板（１８）から突出してカプセル化部コンタクト領域（２１）を形成しており、前記第１の有機発光素子および前記少なくとも１つの第２の有機発光素子は該第１の有機発光素子の前記基板コンタクト領域（１９）と該少なくとも１つの第２の有機発光素子の前記カプセル化部コンタクト領域（２１）とが重なるように配置されている、請求項２０記載の発光装置。
【請求項２２】
前記第１の有機発光素子および前記少なくとも１つの第２の有機発光素子の双方で前記基板（１８）が前記カプセル化部（１７）から突出して上表面の両側に基板コンタクト領域（１９）を形成しており、前記第１の有機発光素子および前記少なくとも１つの第２の有機発光素子は該少なくとも１つの第２の有機発光素子の基板コンタクト領域が該第１の有機発光素子の基板コンタクト領域の上方に重なるように配置されている、請求項２０記載の発光装置。
【請求項２３】
前記第１の有機発光素子および前記少なくとも１つの第２の有機発光素子の双方で前記基板（１８）が前記カプセル化部（１７）に対してずらされ、各有機発光素子の一方側では該カプセル化部が前記基板（１８）から突出してカプセル化部コンタクト領域（２１）を形成しており、各有機発光素子の対向側では前記基板（１８）が該カプセル化部（１７）から突出して基板コンタクト領域（１０）を形成しており、前記第１の有機発光素子および前記少なくとも１つの第２の有機発光素子は該第１の有機発光素子の前記基板コンタクト領域（１９）と該少なくとも１つの第２の有機発光素子の前記カプセル化部コンタクト領域（２１）とが重なるように配置されている、請求項２０記載の発光装置。
【請求項２４】
前記第１の有機発光素子および前記少なくとも１つの第２の有機発光素子の双方で前記基板（１８）が前記カプセル化部（１７）から突出してそれぞれ基板コンタクト領域（１９）を形成しており、前記第１の有機発光素子および前記少なくとも１つの第２の有機発光素子は空間的に隣接して配置されており、各基板コンタクト領域（１９）は突き合わせコンタクトの形態で相互に接触し、接続線路（２２）を介して相互に電気的に接続されている、請求項１記載の発光装置。
【発明の詳細な説明】
【技術分野】
【０００１】
本発明は発光装置、照明装置および発光材に関する。
【背景技術】
【０００２】
本願は独国出願第１０２００７０４６３３６．９号および独国出願第１０２００７０６１４７３．１号の優先権を主張するものであり、その開示内容は参照により本願に含まれるものとする。
【０００３】
有機発光素子の分野では個々の有機発光素子の製造可能な最大寸法の点で制約が存在する。この制約は例えば製造装置の構造に限度があることや大面積の有機発光素子の駆動に必要な一定の電流密度を形成するのが困難であることに起因するものである。
【特許文献１】独国出願第１０２００７０４６３３６．９号
【特許文献２】独国出願第１０２００７０６１４７３．１号
【発明の開示】
【発明が解決しようとする課題】
【０００４】
したがって、本発明の基礎とする課題は、大面積の発光装置を実現する手段を提供することである。
【課題を解決するための手段】
【０００５】
この課題は、本発明の請求項１の特徴を有する発光装置、本発明の請求項１３記載の特徴を有する照明装置、ならびに、本発明の請求項１９の特徴を有する発光材により解決される。本発明の有利な実施形態および実施態様は従属請求項の対象となっている。
【発明を実施するための最良の形態】
【０００６】
本発明の発光装置は第１の有機発光素子および少なくとも１つの第２の有機発光素子を有しており、各有機発光素子の基板の第１の主表面に第１の電極が被着されており、当該の第１の電極上に光形成に適した少なくとも１つの有機層を含む有機層列が配置されており、当該の有機層列上に第２の電極が配置されており、当該の有機層列および当該の第２の電極を覆うように封止部材であるカプセル化部が前記基板に被着されており、ここで、前記第１の有機発光素子と前記少なくとも１つの第２の有機発光素子とは電気的および機械的に接続されている。
【０００７】
ここでは有機層列は特に有機発光ダイオードＯＬＥＤとして構成される。有機層列または有機発光素子ＯＬＥＤは第１の電極を表面に配置した基板を有する。第１の電極は反射型、第２の電極は透過型に構成されているので、１次放射は基板から離れる方向で放射される（つまり当該のＯＬＥＤはトップエミッション型ＯＬＥＤである）。これに代えて、第２の電極を直接に基板上に配置し、１次放射が基板を通って放射されるように構成してもよい（この場合のＯＬＥＤはボトムエミッション型ＯＬＥＤとなる）。また、第１の電極および第２の電極を双方とも１次放射に対して透過型に構成することもできる（この場合のＯＬＥＤはトップアンドボトムエミッション型ＯＬＥＤとなる）。第１の電極上には有機材料からなる１つまたは複数の機能層を備えた機能領域が被着されている。機能層は、例えば、１つまたは複数の電子注入層ＥＩＬ（"electron injection layer"），電子輸送層ＥＴＬ（"electron transport layer"），正孔阻止層ＨＢＬ（"hole blocking layer"），エレクトロルミネセンス層ＥＬ（"electroluminescent layer"），電子阻止層ＥＢＬ（"electron blocking layer"），正孔輸送層ＨＴＬ（"hole transport layer"）および／または正孔注入層ＨＩＬ（"hole injection layer"）を有することができる。電子および正孔の再結合によりエレクトロルミネセンスが発生する。個々の層が前述したそれぞれの機能を複数ずつ有していてもよい。例えば或る層がＨＩＬでありかつＨＴＬであったり、ＥＩＬでありかつＥＴＬであったりしてもよい。活性領域は例えばＥＬにより形成されるかまたはＥＬを含む。さらに、活性領域は例えば２つの層の界面、例えばＥＴＬとＨＴＬとの界面に形成されてもよい。
【０００８】
例えば、基板は、ガラス、水晶、プラスティック、プラスティックシート、金属、金属シート、シリコンウエハ、または任意の別の適切な基板材料を含む。ＯＬＥＤがいわゆるボトムエミッション型ＯＬＥＤとして構成されている場合、すなわち、活性領域において形成された１次放射が基板を通って放射される場合、基板は有利には１次放射の少なくとも一部に対して透過性を有している。
【０００９】
第１の電極はカソードとして構成され、電子注入材料として用いられる。カソード材料として特に、アルミニウム、バリウム、インジウム、銀、金、マグネシウム、カルシウム、リチウムならびにこれらを組み合わせた化合物ないし合金が有利であることがわかっている。
【００１０】
透過性の第２の電極はアノードとして構成され、正孔注入材料として用いられる。当該の第２の電極は例えば透過性の導電性酸化物を有するか透過性の導電性酸化物から成っている。透明導電性酸化物ＴＣＯ（transparent conductive oxides）は透明な導電性材料であり、通常、例えば亜鉛酸化物、錫酸化物、カドミウム酸化物、チタン酸化物、インジウム酸化物またはインジウム錫酸化物ＩＴＯなどの金属酸化物である。ＺｎＯ，ＳｎＯ２またはＩｎ２Ｏ３などの２成分の金属酸素化合物のほか、Ｚｎ２ＳｎＯ４，ＣｄＳｎＯ３，ＺｎＳｎＯ３，ＭｇＩｎ２Ｏ４，ＧａＩｎＯ３，Ｚｎ２Ｉｎ２Ｏ５またはＩｎ４Ｓｎ３Ｏ１２などの３成分の金属酸素化合物や、種々の透明導電性酸化物の混合物もＴＣＯ群の材料に属する。さらに、ＴＣＯ群の材料は必ずしも化学量論的な組成に相応しなくてはならないわけではなく、ｐ型ドープまたはｎ型ドープの行われたものであってもよい。これに代えてまたはこれに加えて、第２の電極が第１の電極と同じ組成の金属を有することもできる。例えば第２の電極は１次放射に対して少なくとも部分的に透過性を有する金属から成る金属層を含む。また第２の電極が有機導電性材料を有していてもよい。
【００１１】
各機能層は例えば有機ポリマー、有機オリゴマー、有機モノマー、有機系の小さな非ポリマー分子（小分子）もしくはそれらの組み合わせを有していてもよい。各機能層の材料に応じて、形成される１次放射は紫外スペクトルから赤外スペクトルまでの個々の波長領域の組み合わせを有する。
【００１２】
また、有機層列はカプセル化部を有し、これにより、電極および機能領域に対して湿気からの保護および／または酸素などの酸化物質からの保護が達成される。ここで、当該のカプセル化部は有機層列の全体と基板とを包囲している。これに代えて、基板がカプセル化部の一部を形成してもよい。この場合、カプセル化部は１つまたは複数の層を含みうる。例えば、カプセル化部は、平坦化層、バリヤ層、水吸収層および／または酸素吸収層、またはこれらを組み合わせた化合物層であってよい。さらに、カプセル化部は透過性に構成され、特にトップエミッション型の有機層列が形成される。
【００１３】
少なくとも２つの有機発光素子を結合するというモジュラーコンセプトは任意の大きさの発光装置を実現するのに有利である。
【００１４】
本発明の有利な実施形態によれば、第１の有機発光素子の電気コンタクトと少なくとも１つの第２の有機発光素子の第１の電気コンタクトとが直列または並列に接続されており、少なくとも１つの第２の有機発光素子の第２の電気コンタクトとエネルギ源とが接続されている。
【００１５】
本発明の有利な別の実施形態によれば、第１の有機発光素子と少なくとも１つの第２の有機発光素子とのあいだの接続部は可撓性のコンタクトブリッジとして構成されており、当該の可撓性のコンタクトブリッジは各発光素子の各基板よりも柔軟に構成されている。
【００１６】
このため、有利には、剛性の有機発光素子を用いているにもかかわらず、本発明の発光装置は湾曲形状および／または３次元の全ての方向に運動可能な形状で実現可能である。
【００１７】
本発明の有利な別の実施形態によれば、発光装置の可撓性のコンタクトブリッジはフレックスシートとして構成されている。
【００１８】
本発明の有利な別の実施形態によれば、発光装置の可撓性のコンタクトブリッジはプリント回路板として構成されている。
【００１９】
本発明の有利な別の実施形態によれば、発光装置の可撓性のコンタクトブリッジは挟み止め可能な金属製のブリッジ形ダブルピンとして構成されている。
【００２０】
本発明の有利な別の実施形態によれば、発光装置には第１の有機発光素子およびこれに接続された少なくとも１つの第２の有機発光素子を包囲する変形可能なカバーが設けられている。
【００２１】
本発明の有利な別の実施形態によれば、当該の変形可能なカバーは各有機発光素子から発光された光に対して透過性のプラスティックを含む。当該のプラスティックは例えばシリコーンの充填された透明シートである。
【００２２】
これにより任意に変形可能な発光装置ないし照明装置を実現することができる。
【００２３】
本発明の別の有利な実施形態では、変形可能なカバーはプレキシガラスを含む。
【００２４】
これにより種々の形状の安定な発光装置ないし照明装置を実現することができる。
【００２５】
本発明の有利な別の実施形態によれば、発光装置には、第１の有機発光素子および少なくとも１つの第２の有機発光素子を収容し、各有機発光素子を相互に機械的に接続する支承フレームが設けられている。それぞれの有機発光素子の電気的コンタクトはばねコンタクト、ケーブルおよび／またはクリップによって行われる。支承フレームの材料は剛性材料であっても可撓性材料であってもよい。
【００２６】
本発明の有利な別の実施形態によれば、第１の有機発光素子と少なくとも１つの第２の有機発光素子とは支承フレームを介して付加的に電気的に接続されている。
【００２７】
本発明の有利な別の実施形態によれば、前述した支承フレームは相互に横断するように延在するウェブ構造体を備えた可撓性の格子状支持体として構成されており、各有機発光素子は当該の可撓性の格子状支持体の中空室に配置されている。当該の可撓性の格子状支持体の材料は各有機発光素子の各基板の材料よりも柔軟である。
【００２８】
このため、有利には、剛性の有機発光素子を用いているにもかかわらず、本発明の発光装置は湾曲形状および／または３次元の全ての方向に運動可能な形状を有することができる。
【００２９】
本発明はさらに照明装置に関しており、当該の照明装置では複数の有機発光素子がマトリクス状に可撓性の格子状支持体内に配置されており、当該の複数の有機発光素子は当該の可撓性の格子状支持体を介して並列、直列または並列および直列の組み合わせによって相互に電気的に接続されている。
【００３０】
本発明の有利な実施形態によれば、照明装置では、複数の有機発光素子を覆うように可撓性の格子状支持体に可撓性のカバーが固定されており、当該の可撓性のカバーの材料の柔軟度は当該の可撓性の格子状支持体の材料の柔軟度に等しい。
【００３１】
本発明の有利な別の実施形態によれば、照明装置のカバーは可撓性の格子状支持体の格子線上に配置されるウェブを有する。当該のウェブは照明装置の非発光領域に相応に形成される。
【００３２】
これにより３次元の全ての方向に変形可能な任意の大きさの照明装置を実現することができる。
【００３３】
本発明の別の実施形態によれば、照明装置では、複数の有機発光素子が支承フレーム内に配置されており、各有機発光素子は例えば４つのヒンジを備えたフレーム部材内に埋め込まれており、当該のフレーム部材はヒンジを介して開閉可能に接続されてアコーディオン状フレームを形成しており、当該のフレームが折りたたまれた状態では１つの有機発光素子が隣の有機発光素子の上に重なり、当該のフレームが広げられた状態では１つの有機発光素子と別の有機発光素子とが平坦な面を形成する。ここで、各有機発光素子は接触による摩耗に対して保護されまた絶縁される。
【００３４】
これにより折りたたみ可能な任意の大きさの発光装置ないし照明装置を実現することができる。
【００３５】
本発明の有利な別の実施形態によれば、個々の有機発光素子の電気的コンタクトはアコーディオン状の支承フレームの導電性領域を介して行われる。これにより個々の有機発光素子を直接に電気的に接触させることができる。
【００３６】
本発明の有利な別の実施形態によれば、当該の支承フレームはテキスタイルとして構成されている。つまり、第１の有機発光素子および少なくとも１つの第２の有機発光素子は織物から形成されたテキスタイルフレームに収容されているのである。
【００３７】
これにより、大面積の発光装置製品を、ひさしまたは湾曲部を有するカバーをかけた形態またはこれらを相応に成形されたボディの上方に広げた形態で実現することができる。
【００３８】
本発明はさらに前述した発光装置を少なくとも１つ有する自己支承形発光材に関しており、当該の自己支承形発光材は天井懸架照明、壁照明または移動可能照明（begehbare Beleuchtung）として用いられる。
【００３９】
これにより当該の発光材は建築構造物の自己支承形照明装置として用いられる。
【００４０】
本発明の有利な別の実施形態によれば、第１の有機発光素子および少なくとも１つの第２の有機発光素子はそれぞれ１つずつコンタクト領域を有しており、当該のコンタクト領域にはカプセル化部の外側に第１の電極および第２の電極を電気的に接触させる導電性材料が存在しており、第１の有機発光素子および少なくとも１つの第２の有機発光素子はそれぞれのコンタクト領域が重なるように配置されており、重なったコンタクト領域は接続線路を介して電気的に接続されている。基板側のコンタクト領域は基板コンタクト領域として、またカプセル化部側のコンタクト領域はカプセル化部コンタクト領域として構成される。ここでは接続線路が導電性の接着剤を有する。これに代えて接続線路が例えばはんだを含んでいてもよい。さらに代えて接続線路が異方性導電性接着剤フィルムＡＣＦ（anisotropie cunductiv film）を含んでいてもよい。
【００４１】
これにより発光装置の全面積に対する発光面の面積の比が改善される。
【００４２】
本発明の有利な別の実施形態によれば、第１の有機発光素子では基板がカプセル化部から突出して基板コンタクト領域を形成しており、少なくとも１つの第２の有機発光素子ではカプセル化部が基板から突出してカプセル化部コンタクト領域を形成しており、第１の有機発光素子および少なくとも１つの第２の有機発光素子は第１の有機発光素子の基板コンタクト領域と少なくとも１つの第２の有機発光素子のカプセル化部コンタクト領域とが重なるように配置されている。
【００４３】
本発明の有利な別の実施形態によれば、第１の有機発光素子および少なくとも１つの第２の有機発光素子の双方で基板がカプセル化部から突出して上表面の両側にそれぞれ基板コンタクト領域を形成しており、第１の有機発光素子および少なくとも１つの第２の有機発光素子は少なくとも１つの第２の有機発光素子の基板コンタクト領域が第１の有機発光素子の基板コンタクト領域の上方に重なるように配置されている。
【００４４】
本発明の有利な別の実施形態によれば、第１の有機発光素子および少なくとも１つの第２の有機発光素子の双方で基板がカプセル化部に対してずらされており、各有機発光素子の一方側ではカプセル化部が基板から突出してカプセル化部コンタクト領域を形成しており、各有機発光素子の対向側では基板がカプセル化部から突出して基板コンタクト領域を形成しており、第１の有機発光素子および少なくとも１つの第２の有機発光素子は第１の有機発光素子の基板コンタクト領域と少なくとも１つの第２の有機発光素子のカプセル化部コンタクト領域とが重なるように配置されている。
【００４５】
本発明の有利な別の実施形態によれば、第１の有機発光素子および少なくとも１つの第２の有機発光素子の双方で基板がカプセル化部から突出して基板コンタクト領域を形成しており、第１の有機発光素子および少なくとも１つの第２の有機発光素子は空間的に隣接して配置されており、それぞれの基板コンタクト領域は突き合わせコンタクトの形態で相互に接触し、接続線路を介して相互に電気的に接続されている。
【実施例】
【００４６】
本発明のさらなる特徴および利点を図１〜図４Ｄに示した実施例に則して以下に説明する。
【００４７】
実施例および図面において、同一の要素または同様の機能を有する要素にはそれぞれ同じ参照符号を付してある。図に示されている要素および各要素間の寸法の比は基本的には縮尺通りに描かれておらず、むしろ、層、素子、要素および領域などは見やすさおよび理解しやすさのために意図的に拡大して描かれていることに注意されたい。
【００４８】
図１には本発明の発光装置１００の第１の実施例の概略図が示されている。発光装置１００は２つの有機発光素子１０を有している。各有機発光素子１０はそれぞれ１つずつ基板１８を有している。当該の基板１８は第１の電極、有機層列、第２の電極およびカプセル化部１７を有している。各有機発光素子１０では基板１８の表面に２つずつ電気コンタクトが形成されている。右方の有機発光素子１０の電気コンタクト１１は電気線路１４を介して左方の有機発光素子１０の電気コンタクト１２に接続されている。左方の有機発光素子１０の電気コンタクト１３は外部の給電電圧部に接続されている。電気的な接続線路１４は可撓性のコンタクトブリッジとして構成されている。さらに、発光装置１００はカバー９を有している。当該のカバー９は相互に接続された２つの有機発光素子１０を包囲している。この場合、当該のカバー９は、２つの有機発光素子１０によって形成される放射に対して透明なプラスティック、例えばシリコーンの充填された透明シートを含む。
【００４９】
図１の発光装置１００の面積は有機発光素子１０の最大面積よりも係数２だけ大きい。図のようなモジュラーコンセプトは任意に拡張可能である。これにより任意の大きさの発光装置ないし照明装置を実現することができる。
【００５０】
また、発光装置１００は３次元の全ての方向に運動可能である。可撓性のコンタクトブリッジ１４により、剛性の有機発光素子１０が用いられる場合にもフレキシブルな発光装置１００を実現することができる。カバー９の材料を適切に選定すれば、各有機発光素子１０は１８０°までの範囲で相互に開閉可能である。
【００５１】
図２のＡには本発明の支承フレームの実施例の概略図が示されている。四角形の支承フレーム１５の内部には相互に横断するように延在するウェブ構造体が存在する。当該のウェブ構造体は相互に接する格子部分領域を形成している。垂直方向にも水平方向にも３つずつ格子部分領域が存在しており、全部で９つの格子部分領域が形成されている。各格子部分領域は１つずつ有機発光素子１０を収容するのに適した大きさに選定されている。各格子部分領域を包囲する縁の全ての辺には導電性領域１６が設けられている。導電性領域１６は支承フレーム１５内に配置される各有機発光素子１０の電気的コンタクトに用いられる。エネルギ供給はコネクタを介して接続される外部の給電電圧部によって行われる。
【００５２】
この場合、支承フレーム１５の材料として可撓性材料が選定されており、支承フレームは３次元の全ての方向に撓むことができる。
【００５３】
導電性領域１６は１つの格子部分領域の対向する２つの辺またはいずれか１つの辺に形成される。後者の場合には、導電性領域１６は分離されて対向する２つの電気コンタクトを有する２つの部分から成る。
【００５４】
図２のＢには図２のＡの方式によるフレキシブルな光学照明装置の概略図が示されている。図２のＢの照明装置１００は図２のＡの支承フレーム１５と９個の有機発光素子１０とを含んでいる。ここでは各有機発光素子１０は支承フレーム１５の各格子部分領域内に配置されている。個々の有機発光素子１０は、図示されているように、相互に並列に接続されている。ここでは、各有機発光素子１０の電気コンタクトは図２のＡに示されている支承フレーム１５の導電性領域１６を介して行われる。
【００５５】
図示されているコネクタと外部の給電電圧部とが接続されると、照明装置１００は図示の放射方向２０すなわち上方へ向かって光を出力する。
【００５６】
図２のＢの照明装置１００は剛性の有機発光素子１０を用いているにもかかわらず、３次元の全ての方向に運動可能である。また、支承フレーム１５を拡大または縮小して有機発光素子の組み込み数を変更することにより、照明装置１００を任意にスケーリングすることができる。こうして大面積の照明装置を製造することができる。
【００５７】
有機発光素子１０の接続は図示の形態のみに限定されない。直列接続あるいは直列接続と並列接続との組み合わせも可能である。
【００５８】
図３のＡには本発明の照明装置１００の第２の実施例の概略図が示されている。これは第２の実施例の照明装置１００を前から見たときの図である。照明装置１００は４つの有機発光素子１０を有している。ここでは、各有機発光素子１０はフレーム部材２４によって定められた４つの枠のなかに配置されている。フレーム部材２４およびその内部に配置された４つの有機発光素子１０はヒンジ２３により相互に機械的に接続されている。ヒンジ２３は、フレーム部材２４の個々の枠が開閉できるように構成されており、これによりフレーム部材２４が折りたたまれた状態では隣接する枠の有機発光素子どうしは相互に重なることになる。このとき、個々の有機発光素子１０は相応に構成されたカプセル化部によって機械的摩耗から保護される。個々の有機発光素子１０のあいだの電気的な接続はフレーム部材２４内部の導電性領域を介して行われる。当該の導電性領域はヒンジ２３内に通じる電気的な接続線路を介して相互に接続されている。
【００５９】
図３のＢには図３のＡの照明装置１００を切断線Ｅ−Ｅ’で切断した断面図が示されている。４つの有機発光素子１０はそれぞれフレーム部材２４の個々の枠内に配置されている。フレーム部材２４は３つのヒンジ２３を介して相互に機械的に接続されている。照明装置１００はここでは途中まで展開された状態で示されている。
【００６０】
図３のＣには図３のＢの照明装置が完全に展開された状態が示されている。４つの有機発光素子１０はフレーム部材２４および３つのヒンジ２３とともに平坦な面を形成している。外部の給電電圧部が接続されると、照明装置１００は放射方向２０すなわち右方へ向かって光を出力する。
【００６１】
図示の照明装置１００は開閉可能であり、このため簡単に持ち運ぶことができる。フレーム部材２４の枠およびヒンジを増やしてさらに有機発光素子１０を付加することにより、図示の照明装置１００を任意に拡張することができる。これにより任意の大きさの発光装置ないし照明装置を実現することができる。
【００６２】
図４Ａには相互にオーバラップするコンタクト領域を備えた本発明の照明装置１００の第１の実施例の概略図が示されている。ここには３つの有機発光素子１０が示されている。各有機発光素子１０の両側にコンタクト領域が存在している。各コンタクト領域は導電性材料を含み、カプセル化部１７の下方で有機発光素子１０の第１の電極または第２の電極に接続されている。これにより各電極に対して固有のコンタクト領域が形成される。左方の有機発光素子１０および右方の有機発光素子１０では基板１８がカプセル化部１７を超えて突出している。したがってそれぞれ基板１８上のカプセル化部１７を超えたところに基板コンタクト領域１９が形成されている。これに対して、中央の有機発光素子１０ではカプセル化部１７が基板１８を超えて突出している。したがってそれぞれカプセル化部１７に基板１８を超えるカプセル化部コンタクト領域２１が形成されている。３つの有機発光素子１０はそれぞれのコンタクト領域が重なるように配置されている。これは、中央の有機発光素子１０の左方のカプセル化部コンタクト領域２１が左方の有機発光素子１０の（右方の）基板コンタクト領域１９に重なり、中央の有機発光素子１０の右方のカプセル化部コンタクト領域２１が右方の有機発光素子１０の（左方の）基板コンタクト領域１９に重なることを意味している。電気コンタクト２２を介して、それぞれのコンタクト領域は電気的に相互に接続され、接着剤により接着される。例えば電気コンタクト２２は導電性ペーストである。図示の照明装置１００では放射方向２０すなわち下方へ向かって光が出力される。
【００６３】
図示の装置では、各コンタクト領域のオーバラップにより、発光面の面積と照明装置の全面積との比が改善される。改善の例を挙げると次のようになる。第１の例として、各有機発光素子１０が各辺９ｃｍの正方形の発光面および各辺１０ｃｍの正方形の外部ガラスを有するとする。非発光領域としての周の幅は０．５ｃｍである。コンタクト領域の幅は０．２５ｃｍである。オーバラップのない装置であれば、２つの隣接する有機発光素子１０のあいだの非発光領域としての周の幅はちょうど１ｃｍとなる。したがって、全面積に対する発光面の面積は８１％である。コンタクト領域のオーバラップにより、隣接する２つの有機発光素子１０のあいだの非発光領域としての周の幅は０．７５ｃｍにまで低減される。したがって、全面積に対する発光面の面積は８５．２％に高まる。これにより相対的に５．２％の改善が得られる。
【００６４】
第２の例として、有機発光素子１０が各辺４ｃｍの正方形の発光面および各辺５ｃｍの正方形の外部ガラスを有するとすると、非発光領域としての周の幅はやはり０．５ｃｍである。コンタクト領域の幅も同様に０．２５ｃｍである。したがって複数の有機発光素子１０を隣接させると１ｃｍ幅の非発光領域が形成される。この場合、全面積に対する発光面の面積は６４％である。コンタクト領域のオーバラップにより、隣接する２つの有機発光素子１０のあいだの非発光領域としての周の幅は０．７５ｃｍにまで低減される。したがって、全面積に対する発光面の面積は７０．９％に高まり、相対的に１０．８％の改善が得られる。
【００６５】
図４Ｂには相互にオーバラップするコンタクト領域を備えた本発明の照明装置１００の第２の実施例の概略図が示されている。ここにはそれぞれ基板１８およびカプセル化部１７を有する３つの有機発光素子１０が示されている。ここでは右方の有機発光素子と左方の有機発光素子とがそれぞれ基板コンタクト領域１９を形成している。ここで、中央の有機発光素子１０は、その基板の下面が右方の有機発光素子１０および左方の有機発光素子１０によって形成された各基板コンタクト領域１９と接するように配置されている。各有機発光素子１０は接続線路２２を介して相互に接続されている。電気コンタクトはここでは導電性ペーストまたはフレックスシートを有する。図示の照明装置１００は２つの放射方向２０すなわち上方および下方へ向かって光を出力することができる。１つの有機発光素子１０が垂直方向にずらされているが、例えば注型用樹脂を含む平坦化層によって表面の粗面性を平坦化することができる。
【００６６】
こうした装置によっても図４Ａに則して説明したような発光面の面積と全面積との比の改善が達成される。
【００６７】
図４Ｃには相互にオーバラップするコンタクト領域を備えた本発明の照明装置１００の第３の実施例の概略図が示されている。ここにはそれぞれ基板１８およびカプセル化部１７を有する３つの有機発光素子１０が示されている。各有機発光素子１０ではカプセル化部１７が基板１８に対してずらされており、それぞれ左方側にカプセル化部コンタクト領域２１が形成され、右方側に基板コンタクト領域１９が形成されている。各有機発光素子１０のあいだの電気的接続は接続線路２２を介して行われる。図示の照明装置１００も２つの放射方向２０すなわち上方および下方へ向かって光を出力することができる。
【００６８】
前述の場合と同様に、各コンタクト領域のオーバラップにより、発光面の面積と発光装置の全面積との比が改善される。この場合にも図４Ａに則して説明したような発光面の面積と発光装置の全面積との比の改善が達成される。
【００６９】
図４Ｄには相互にオーバラップするコンタクト領域を備えた本発明の照明装置１００の第４の実施例の概略図が示されている。ここにはそれぞれ基板１８およびカプセル化部１７を有する３つの有機発光素子１０が示されている。各有機発光素子１０はそれぞれ右方側および左方側に１つずつ基板コンタクト領域１９を形成している。各有機発光素子１０は相互に隣接して配置され、それぞれの側面が突き合わせコンタクトを形成している。隣接する有機発光素子１０のあいだの電気的接続は接続線路２２を介して行われる。接続線路２２は例えば導電性ペーストまたはいわゆる異方性導電性フィルムＡＣＦを含む。接続線路２２を介して各有機発光素子１０は機械的に相互に接続され、例えば接着される。図示の照明装置は２つの放射方向２０すなわち上方および下方へ向かって光を出力することができる。
【００７０】
なお、本発明は前述した実施例に限定されるものではない。むしろ本発明はあらゆる新規の特徴ならびにそれらの特徴のあらゆる組み合わせを含むものであり、これには殊に特許請求の範囲に記載した特徴のあらゆる組み合わせが含まれる。このことはこのような特徴またはこのような組み合わせ自体が特許請求の範囲あるいは実施例に明示的には記載されていない場合であっても当てはまる。
【図面の簡単な説明】
【００７１】
【図１】本発明の発光装置の第１の実施例の概略図である。
【図２】本発明の支承フレームおよびフレキシブル光学照明装置の実施例の概略図である。
【図３】本発明の発光装置の第２の実施例の概略図、この発光装置を折りたたんだときの側面図および広げたときの側面図である。
【図４Ａ】オーバラップするコンタクト領域の第１の実施例の概略図である。
【図４Ｂ】オーバラップするコンタクト領域の第２の実施例の概略図である。
【図４Ｃ】オーバラップするコンタクト領域の第３の実施例の概略図である。
【図４Ｄ】本発明の発光装置の第３の実施例の概略図である。
【符号の説明】
【００７２】
９  カバー、  １０  有機発光素子、  １１〜１３  電気コンタクト、  １４  電気線路、  １５  支承フレーム、  １６  導電性領域、  １７  カプセル化部、  １８  基板、  １９  基板コンタクト領域、  ２０  放射方向、  ２１  カプセル化部コンタクト領域、  ２２  電気コンタクト、  ２３  ヒンジ、  ２４  フレーム部材、  １００  発光装置または照明装置
【図１】
2009088515.tif 000003
【図２】
2009088515.tif 000004
【図３】
2009088515.tif 000005
【図４Ａ】
2009088515.tif 000006
【図４Ｂ】
2009088515.tif 000007
【図４Ｃ】
2009088515.tif 000008
【図４Ｄ】
2009088515.tif 000009